(57)【特許請求の範囲】
【請求項１】
圃場内に種子を播くための直播装置（８２）を走行車両に設け、該直播装置（８２）には、種子を貯留する種子タンク（８５）と、該種子タンク（８５）内の種子を間欠的に繰り出す繰出部（８７）と、該繰出部（８７）から繰り出された種子を圃場の播種位置へ移送する移送管（９３，９５）とを備えた直播機において、
前記移送管（９３，９５）は長手方向が鉛直方向に向いた管であって、移送上手側部分（９３）と移送下手側部分（９５）とに分割し、前記移送上手側部分（９３）と移送下手側部分（９５）との間に設けた隙間に圧力風を供給する空気供給部（９７，９９）を設け、
前記移送管（９３，９５）の移送上手側部分（９３）の移送管軸方向中心線と前記移送下手側部分（９５）の移送管軸方向中心線とが、一直線上に位置するように移送管（９３，９５）を配置し、前記隙間は移送管（９３，９５）の全周であって移送管軸方向中心線の回りに均等の幅で形成されると共に、前記隙間の外周全体を覆って、前記隙間に空気供給部（９７，９９）からの空気を圧力風として供給する空気圧均等箱体（９４）を、移送上手側部分（９３）の下端が空気圧均等箱体（９４）の天井面を貫通して空気圧均等箱体（９４）内に入り込み、移送下手側部分（９５）の上端が空気圧均等箱体（９４）の底面を貫通して空気圧均等箱体（９４）内に入り込むように設け、且つ移送下手側部分（９５）の上端に設けた広口の開口部（９５ａ）に間を空けて移送上手側部分（９３）の下端を入り込ませることで、移送管（９３，９５）の全周の隙間において空気圧が均等になるように構成し、
前記繰出部（８７）は走行車両の前進方向に向かって左右方向に複数設けられ、前記移送管（９３，９５）及び空気圧均等箱体（９４）は各繰出部（８７）に対応して複数設けられ、複数の繰出部（８７）から各移送管（９３，９５）の移送上手側部分（９３）、移送下手側部分（９５）に順に搬送された種子が導かれる各種子導管（９１）を設け、
前記空気供給部（９７，９９）は、各空気圧均等箱体（９４）に空気を分配して供給する空気分岐管（９７）と、該空気分岐管（９７）に空気を供給するブロア（９９）からなることを特徴とする直播機。
【発明の詳細な説明】
【技術分野】
【０００１】
この発明は、施肥装置、播種装置あるいは薬剤散布装置等の粉粒体吐出機を備えた直播機に関する。
【背景技術】
【０００２】
従来、走行車体の座席より後側に複数の粉粒体繰出部を左右方向に並べて設けると共に、粉粒体繰出部の上方に粉粒体を貯留するタンクを設け、粉粒体繰出部から送り出される粉粒体を送風器からの送風により送り出して圃場に連続的に吐出する粉粒体吐出機を備えた直播機が知られている。
【特許文献１】特開平９−９７２８号公報
【発明の開示】
【発明が解決しようとする課題】
【０００３】
上記特許文献１記載の直播機で湛水直播を行うときには、土壌中への種子を植え付ける播種深さを精密に管理しないと発芽率が悪くなったり、発芽がそろわず収量が減ったりすることになることが分かっている。そこで、土壌中への播種深さを一定にするために作溝、覆土装置を改良した羽根車で種子を加速して播種深さを確保する技術があるが、圃場の土壌条件や水分条件により播種深度が変わったり、機械の構造が複雑になっていた。  
そこで本発明の課題は、播種深度が均一になる直播機を提供することである。
【課題を解決するための手段】
【０００４】
本発明の上記課題は、次の解決手段で解決できる。 
すなわち、請求項１記載の発明は、圃場内に種子を播くための直播装置（８２）を走行車両に設け、該直播装置（８２）には、種子を貯留する種子タンク（８５）と、該種子タンク（８５）内の種子を間欠的に繰り出す繰出部（８７）と、該繰出部（８７）から繰り出された種子を圃場の播種位置へ移送する移送管（９３，９５）とを備えた直播機において、前記移送管（９３，９５）は長手方向が鉛直方向に向いた管であって、移送上手側部分（９３）と移送下手側部分（９５）とに分割し、前記移送上手側部分（９３）と移送下手側部分（９５）との間に設けた隙間に圧力風を供給する空気供給部（９７，９９）を設け、前記移送管（９３，９５）の移送上手側部分（９３）の移送管軸方向中心線と前記移送下手側部分（９５）の移送管軸方向中心線とが、一直線上に位置するように移送管（９３，９５）を配置し、前記隙間は移送管（９３，９５）の全周であって移送管軸方向中心線の回りに均等の幅で形成されると共に、前記隙間の外周全体を覆って、前記隙間に空気供給部（９７，９９）からの空気を圧力風として供給する空気圧均等箱体（９４）を、移送上手側部分（９３）の下端が空気圧均等箱体（９４）の天井面を貫通して空気圧均等箱体（９４）内に入り込み、移送下手側部分（９５）の上端が空気圧均等箱体（９４）の底面を貫通して空気圧均等箱体（９４）内に入り込むように設け、且つ移送下手側部分（９５）の上端に設けた広口の開口部（９５ａ）に間を空けて移送上手側部分（９３）の下端を入り込ませることで、移送管（９３，９５）の全周の隙間において空気圧が均等になるように構成し、前記繰出部（８７）は走行車両の前進方向に向かって左右方向に複数設けられ、前記移送管（９３，９５）及び空気圧均等箱体（９４）は各繰出部（８７）に対応して複数設けられ、複数の繰出部（８７）から各移送管（９３，９５）の移送上手側部分（９３）、移送下手側部分（９５）に順に搬送された種子が導かれる各種子導管（９１）を設け、前記空気供給部（９７，９９）は、各空気圧均等箱体（９４）に空気を分配して供給する空気分岐管（９７）と、該空気分岐管（９７）に空気を供給するブロア（９９）からなる直播機である。
【発明の効果】
【０００７】
請求項１記載の発明によれば、移送上手側部分（９３）と移送下手側部分（９５）との間に設けた隙間に供給される圧力風により、種子の移送が移送管（９３，９５）の移送下手側部分（９５）で加速され、種子を圃場に打ち込むことができ、所望の播種深さ及び所望の点播分布が得られる。
【０００８】
また、空気圧均等箱体（９４）により移送上手側部（９３）分と移送下手側部分（９５）との間に設けた隙間の外周全体から圧力風を供給することができ、圧力風は移送下手側部分（９５）内で乱れずに適正に種子の移送方向に向き、簡単な構成で種子の移送を効率良く加速して種子を圃場に打ち込むことができ、更なる播種深さ及び点播分布の適正化が図れる。
【０００９】
更に、移送管（９３，９５）において移送上手側部分（９３）から移送下手側部分（９５）へ種子を受け継ぐとき、種子の移送方向が変化しないので、圧力風により種子の移送を良好に加速することができ、更なる播種深さ及び点播分布の適正化が図れる。  
そして、移送管（９３，９５）の移送上手側部分（９３）と移送下手側部分（９５）とが鉛直方向に向き、移送管（９３，９５）の移送下手側部分（９５）に供給される空気が上方から下方に向けて鉛直方向を向くため、移送上手側部分（９３）を通って流下する種子は移送下手側部分（９５）内の内壁に接触することなく土中に向けて安定した状態で高速で送り出すことができる。
【発明を実施するための最良の形態】
【００１０】
この発明の実施の一形態を図面に基づき説明する。  
本実施例の直播機は乗用４輪駆動走行形態の直播機であり、図１は、施肥装置付きの乗用型の直播機の左側面図を示すものであり、この乗用型の直播機は、走行車体２の後側に昇降リンク装置３を介して直播装置８２が昇降可能に装着され、走行車体２の後部上側に施肥装置５の本体部分が設けられている。なお、本明細書では、直播機の前進方向に向って左右方向をそれぞれ左、右とし、前進方向を前、後進方向を後とする。
【００１１】
走行車体２は、駆動輪である各左右一対の前輪１０，１０及び後輪１１，１１を備えた四輪駆動車両であって、機体の前部にミッションケース１２が配置され、そのミッションケース１２の左右側方に前輪ファイナルケース１３，１３が設けられ、該前輪ファイナルケース１３の操向方向を変えることができる前輪支持部から外向きに突出する前輪車軸に前輪１０，１０が取り付けられている。また、ミッションケース１２の背面部にメインフレーム１５の前端部が固着されており、そのメインフレーム１５の後端左右中央部に前後水平に設けた後輪ローリング軸（図示せず）を支点にして後輪ギヤケース１８，１８がローリング自在に支持され、その後輪ギヤケース１８，１８から外向きに突出する後輪車軸に後輪１１，１１が取り付けられている。
【００１２】
原動機となるエンジン２０はメインフレーム１５の上に搭載されており、該エンジン２０の回転動力が、第一ベルト伝動装置２１及び第二ベルト伝動装置２３を介してミッションケース１２に伝達される。ミッションケース１２に伝達された回転動力は、該ケース１２内のトランスミッションにて変速された後、走行動力と外部取出動力に分離して取り出される。そして、走行動力は、一部が前輪ファイナルケース１３，１３に伝達されて前輪１０，１０を駆動すると共に、残りが後輪ギヤケース１８，１８に伝達されて後輪１１，１１を駆動する。また、外部取出動力は、走行車体２の後部に設けたクラッチケース２５に伝達され、施肥伝動機構２８によって施肥装置５へ伝動される。
【００１３】
エンジン２０の上部はエンジンカバー３０で覆われており、その上に座席３１が設置されている。座席３１の前方には各種操作機構を内蔵するボンネット３２があり、その上方に前輪１０，１０を操向操作するハンドル３４が設けられている。エンジンカバー３０及びボンネット３２の下端左右両側は水平状のフロアステップ３５になっている。フロアステップ３５の後部は、後輪フェンダを兼ねるリヤステップ３６となっている。
【００１４】
昇降リンク装置３は平行リンク構成であって、１本の上リンク４０と左右一対の下リンク４１，４１を備えている。これらリンク４０，４１，４１は、その基部側がメインフレーム１５の後端部に立設した背面視門形のリンクベースフレーム４２に回動自在に取り付けられ、その先端側に縦リンク４３が連結されている。そして、メインフレーム１５に固着した支持部材と上リンク４０に一体形成したスイングアーム４５の先端部との間に昇降油圧シリンダ４６が設けられており、該シリンダ４６を油圧で伸縮させることにより、上リンク４０が上下に回動し、直播装置８２がほぼ一定姿勢のまま昇降する。
【００１５】
直播装置８２の下部にはセンターフロート５５及びサイドフロート５６，５６が設けられている。これらフロート５５，５６を圃場の泥面に接地させた状態で機体を進行させると、フロート５５，５６が泥面を整地しつつ滑走し、その整地跡に直播装置８２，…により種子が播かれる。各フロート５５，５６，５６は圃場表土面の凹凸に応じて前端側が上下動するように回動自在に取り付けられており、直播作業時にはセンターフロート５５の前部の上下動が上下動検出機構５７により検出され、その検出結果に応じ前記昇降油圧シリンダ４６を制御する油圧バルブを切り替えて直播装置８２を昇降させることにより、種子の播種深さを常に一定に維持する。
【００１６】
施肥装置５は、肥料貯留タンク（粉粒体貯留タンク）６０に貯留されている肥料（粉粒体）を走行車体２の左右方向に複数設けられた肥料繰出部（粉粒体繰出部）６１，…によって一定量づつ繰り出し、その肥料を施肥ホース（粉粒体移送ホース）６２，…でフロート５５，５６，５６の左右両側に取り付けた施肥ガイド（図示せず），…まで導き、施肥ガイド，…の前側に設けた播種用作溝器６４，…によって播種条の側部近傍に形成される施肥溝内に吐出するようになっている。モータ（図示せず）で駆動のブロア（図示せず）で発生させた圧力風を左右方向に長いエアチャンバ６９を経由して施肥ホース６２，…内に吹き込み、施肥ホース６２，…内の肥料を植付部側の肥料吐出口へ強制的に移送するようになっている。
【００１７】
また、整地ロータ２７ａ，２７bの支持構造には、左右方向の支持杆と上下方向に伸びる両側辺部材からなる矩形の支持枠体６５の両側辺部材に上端を回動自在に支持された梁部材６６と該梁部材６６の両端に固着した支持アーム６７と該支持アーム６７に回動自在に取り付けられたロータ支持フレーム６８が設けられている。該ロータ支持フレーム６８の下端には整地ロータ２７ａの駆動軸（図示せず）が取り付けられている。センタフロート５５の前方にあるロータ２７ｂはサイドフロート５６の前方にあるロータ２７ａより前方に配置されている。また、ロータ２７ｂは梁部材６６に上端部が支持された一対のリンク部材７６，７７によりスプリング７８を介して吊り下げられている。なお、整地ロータ２７ａ，２７bはロータ上下位置調節レバー８１で上下動させることができる。
【００１８】
本実施例の直播機の直播装置８２は、図１の直播機の側面図と図２の直播装置８２部分の拡大側面図と図３の直播装置８２部分の背面図に示す構成を備えている。直播装置８２は、上部の種子タンク８５から種子を繰り出す種子繰出部８７、種子を繰出案内する種子ロート８８、更に、この種子ロート８８から繰出案内される種子を下方へ空気搬送により放出する放出筒９０と種子導管９１等からなり、左右方向に延びるフレーム８９により支持されている。そして、放出筒９０は、種子ロート８８に接続する第一移送管９３と該第一移送管９３の下方に接続した比較的体積の大きな空気圧均等箱体９４と該箱体９４の下方に接続される第二移送管９５と前記空気圧均等箱体９４の隣接位置に配置され、該箱体９４内に種子搬送用に空気を供給する空気分配管９７と該空気分配管９７に空気を供給するブロア９９からなる。
【００１９】
第一移送管９３の下端の開口部は空気圧均等箱体９４の天井面を貫通して箱体９４内に入り込んでおり、また、第二移送管９５の上端の開口部は空気圧均等箱体９４の底面を貫通して前記箱体９４内部に入り込んでいる。そして第二移送管９５の上端は広口の開口部９５ａを有しており、該広口の開口部９５ａに隙間を開けて第一移送管９３の下端の開口部が入り込んでいる。
【００２０】
放出筒９０の第一移送管９３と第二移送管９５の鉛直方向の管中心軸が同一軸線となるように第一移送管９３と第二移送管９５を配置し、また第一移送管９３の下端開口部と第二移送管９５の上端開口部の間に設ける前記隙間は前記管中心軸の回りに均等の幅で形成されている。
【００２１】
従って、空気分配管９７から空気圧均等箱体９４へ導入された空気が前記第一移送管９３の下端開口部と第二移送管９５の上端開口部の隙間（ベンチュリー部）から流れる際に高速で圧力風として流れ出るので、種子と空気の混合が混乱なく行なわれ、第一移送管９３を通って流下する種子は第二移送管９５内の内壁に接触することなく土中に向けて安定した状態で高速で送り出すことができる。
【００２２】
第二移送管９５の下端開口部の回りには間隔を開けて種子導管９１が設けられている。該種子導管９１は水平断面が後方開口状のＵ字状をしており、また側面視で上方から下方に向けて幅が狭くなっている。  
上記したように種子ホッパ８５から繰出部８７を経由して供給された種子が種子導管９１等に接触しにくいように放出筒９０と種子導管９１を配置した。
【００２３】
従来の直播機の直播装置による湛水直播においては、種子の播種深さを精密に管理しないと種子の発芽率が悪くなったり発芽がそろわず、安定した収量が得られなくなる。播種深さを一定にするために作溝、覆土装置を改良したり羽根車で種子を加速して播種深さを確保する技術があるが、圃場の土壌条件や水分条件により播種深度が変わったり機械の構造が複雑になっていた。
【００２４】
しかし、上記本実施例の直播装置８２を用いると、空気分配管９７から供給される空気が上方から下方に向けて鉛直方向を向き、しかも種子の播種深度を確保するために空気流で種子の流下速度を加速させた状態で土中に種子を打ち込むことができる。
【００２５】
直播装置８２の下方には、播種フレ−ム１００の下方に吊持され、土壌面に接地して滑走するフロ−ト５５，５６を配置しており、また、フロート５５，５６の両側には一対の播種用作溝器６４と該播種用作溝器６４でできた圃場の溝を埋める一対の覆土板５９が設けられているので、圃場の溝内に打ち込まれた種子の上を覆土板５９により土で覆うことができる。
【００２６】
このように本実施例の直播機は次のような特徴点を有する。  
（１）種子の播種深度を確保するために空気流で加速し、土中に種子を打ち込ませる。またその空気流で圃場面の水分を排除して種子が土中に入る条件を安定させる。  
（２）種子が空気と混乱なく合流するようにベンチュリー部の周囲に空気圧が均等になるような空間を確保する箱体９４を設けた。  
（３）種子繰出部８７から供給された種子が導管９３，９５等に接触しにくいように繰出部８７、ロート８８、放出筒（導管９３，９５）９０及び種子導管９１を垂直に配置した。
【産業上の利用可能性】
【００２７】
本発明は田植機をはじめとして各種の施肥用、直播用又は薬剤散布用の粉粒体の吐出機である直播装置を備えた作業機として利用可能性が高い。
【図面の簡単な説明】
【００２８】
【図１】本発明の一実施例の直播機の側面図である。
【図２】図１の直播機の直播装置部分の側面図である。
【図３】図１の直播機の直播装置部分の背面図である。
【符号の説明】
【００２９】
２  走行車体                        ３  昇降リンク装置
５  施肥装置                        １０  前輪
１１  後輪                          １２  ミッションケース
１３  前輪ファイナルケース          １５  メインフレーム
１８  後輪ギヤケース                ２０  エンジン    
２１  第一ベルト伝動装置            ２３  第二ベルト伝動装置
２５  クラッチケース                ２７（２７ａ，２７ｂ）  整地ロータ 
２８  施肥伝動機構                  ３０  エンジンカバー  
３１  座席                          ３２  ボンネット
３４  ハンドル                      ３５  フロアステップ  
３６  リヤステップ                  ４０  上リンク    
４１  下リンク                      ４２  リンクベースフレーム
４３  縦リンク                      ４５  スイングアーム
４６  昇降油圧シリンダ              ５５  センターフロート
５６  サイドフロート                ５７  上下動検出機構
５９  覆土板                        ６０  肥料貯留タンク
６１  肥料繰出部                    ６２  施肥ホース  
６４  播種用作溝器                  ６５  支持枠体
６６  梁部材                        ６７  支持アーム
６８  ロータ支持フレーム            ６９  エアチャンバ
７６  第一リンク部材                ７７  第二リンク部材
７８  スプリング                    ８１  ロータ上下位置調節レバー
８２  直播装置                      ８５  種子タンク
８７  種子繰出部                    ８８  種子ロート
８９  フレーム                      ９０  放出筒
９１  種子導管                      ９３  第一移送管
９４  空気圧均等箱体                ９５  第二移送管
９７  空気分配管                    ９９  ブロア
１００  播種フレ−ム
【図１】
0004934001.tif 000002
【図２】
0004934001.tif 000003
【図３】
0004934001.tif 000004